(57)【要約】【課題】放電励起するための電極の表面に経年的に酸化膜が生成されても安定した放電励起ができる信頼性の高いガスレーザ発振装置およびレーザ加工装置の継続使用を可能とする。【解決手段】レーザ出力の開始時に、放電電流目標値設定器は、無放電状態から放電するまでに要する放電開始電圧Ｖａへ上昇するに至るまでの予め設定された立ち上がり時間ｔａの間、放電電流の目標値を設定して高電圧電源より電圧を出力し、その後、放電を維持するための放電維持電圧Ｖｂまで低下するに至るまでの予め設定された立下り時間ｔｂの間、放電電流の目標値をゼロと設定して高電圧電源の電圧の出力を停止し、その後、放電電流目標値設定器は放電電流の目標値を設定して高電圧電源からの電圧出力を再開して、放電電流を所望のレーザ出力に対応した値になるように放電電流をフィードバック制御する。【選択図】図１
2011129727.tif 000002
【特許請求の範囲】
【請求項１】
レーザ媒質ガスを内部に有する放電管と、前記レーザ媒質ガスを放電励起するために電極を介して電圧を可変し印加する高電圧電源と、前記レーザ媒質ガスからのレーザ光を共振させてレーザ出力を得る光共振器と、前記放電管内の前記レーザ媒質ガスへの電圧印加によって発生した放電電流を検出する放電電流検出器と、前記放電電流の目標値を設定する放電電流目標値設定器と、前記放電電流検出器からの信号と、前記放電電流目標値設定器からの信号の差分を増幅する差動増幅器と、前記差動増幅器からの信号と、前記放電電流目標値設定器からの信号を加算する加算器とを備え、前記高電圧電源に前記加算器からの信号を入力し、前記放電電流を所望のレーザ出力に対応した値になるように、前記レーザ媒質ガスに印加する電圧を可変しフィードバック制御するガスレーザ発振装置を用い、レーザ出力の開始時に、前記放電電流目標値設定器は、前記高電圧電源の回路定数および前記レーザ媒質ガスに依存する無放電状態から放電するまでに要する放電開始電圧へ上昇するに至るまでの予め設定された立ち上がり時間の間、放電電流の目標値を設定して前記高電圧電源より電圧を出力し、その後、前記高電圧電源の回路定数および前記レーザ媒質ガスに依存する放電を維持するための放電維持電圧まで低下するに至るまでの予め設定された立下り時間の間、放電電流の目標値をゼロと設定して前記高電圧電源の電圧の出力を停止し、その後、前記放電電流目標値設定器は放電電流の目標値を設定して前記高電圧電源からの電圧出力を再開して、放電電流を所望のレーザ出力に対応した値になるように放電電流をフィードバック制御するガスレーザ発振装置の制御方法。
【請求項２】
請求項１記載のガスレーザ発振装置の制御方法を使用したガスレーザ発振装置。
【請求項３】
加工ワークを乗せる加工テーブルと、前記加工テーブルの移動とレーザ加工トーチの少なくとも一方を移動する駆動手段と、前記駆動手段を制御する数値制御装置と、レーザ光を発生する請求項２に記載のガスレーザ発振装置とを備えたレーザ加工装置。
【発明の詳細な説明】
【技術分野】
【０００１】
本発明はレーザ媒質にガスを用いたレーザ発振装置の制御方法およびレーザ発振装置およびレーザ加工装置に関するものである。
【背景技術】
【０００２】
近年、レーザ発振装置およびレーザ加工装置は加工対象物を非接触でかつ熱影響が少なく加工できるという特徴から多様な材質や形状の切断や溶接等に多用されている。
【０００３】
従来、図２に示すような放電電流フィードバック機能を有するレーザ発振装置が用いられていた。以下、図２を参照しながら説明する。
【０００４】
レーザ媒質ガスを内部に有する放電管１はガラスなどの誘電体からなり、レーザ触媒ガスを放電励起するために銅などの金属を使用した電極３を介して高電圧電源４より適宜可変した電圧を印加する。
【０００５】
放電管１内のレーザ媒質ガスへの電圧印加によって発生した放電電流はホール効果を利用した電流−電圧変換器などを用いた放電電流検出器５により検出される。
【０００６】
所望のレーザ出力に対応した放電電流となるように放電電流目標値を一般的には可変の定電圧回路によりなる放電電流目標値設定器６で設定し、放電電流検出器５からの信号と、放電電流目標値設定器６からの信号の差分を演算し制御系の応答性に応じて増幅するオペアンプなどからなる差動増幅器７で偏差信号として取り出す。
【０００７】
差動増幅器７からの偏差信号と、放電電流目標値設定器６からの放電電流目標値を加算するオペアンプなどからなる加算器８よりの信号を、高電圧電源４に与え、放電電流を所望のレーザ出力に対応した値になるように、レーザ媒質に印加する電圧を可変し放電電流をフィードバック制御する機能を有している。
【０００８】
この放電電流のフィードバック制御における放電電流目標値設定器６からの信号と、高電圧電源４の出力電圧と、放電電流の関係について図３（ａ）を参照しながら説明する。
【０００９】
放電電流目標値設定器６から所望のレーザ出力に対応した放電電流目標値が信号として出力される。最初は放電していないため放電電流は流れておらず、放電電流検出器５からの信号はゼロであり、差動増幅器７からの信号は大となり加算器８へ入力される。
【００１０】
その結果、高電圧電源４の出力電圧は上昇を加速する。その後高電圧電源４の出力電圧が放電管１内で放電を開始するに必要な電圧であるところの放電開始電圧Ｖａに至ると電極３間で放電が発生し放電電流が流れ始め、放電管１内のインピーダンスは負性であるため高電圧電源４の出力電圧は放電を維持するに必要な電圧であるところの維持電圧Ｖｂまで低下する。放電電流は放電電流検出器５によって信号変換され差動増幅器７と加算器８を経て放電電流目標設定器６の信号に重畳され放電電流はフィードバック制御により放電電流の目標値へ整定され、所望のレーザ出力を得る（例えば、特許文献１参照）。
【００１１】
図４は従来のレーザ加工装置の概略構成の一例を示している。以下、図４を参照しながら従来のレーザ加工装置を説明する。
【００１２】
この図４において、レーザービーム９は、反射鏡１５にて反射され、ワーク１６近傍へ導かれる。レーザービーム９は、トーチ１７内部に備えられた集光レンズ１８によって高密度のエネルギビームに集光され、ワーク１６に照射され、加工が行われる。ワーク１６は加工テーブル１９上に固定されており、Ｘ軸モータ２０あるいはＹ軸モータ２１によって、トーチ１７はワーク１６に対して相対的に移動する事で、所定の形状の加工が行われる。
【００１３】
このようなレーザ加工装置では、加工品質を向上させるため所望のレーザ出力を安定して取り出せる放電電流のフィードバック制御機能を有したレーザ発振装置が一般的である。
【先行技術文献】
【特許文献】
【００１４】
【特許文献１】特開２００４−２５２０４号公報
【発明の概要】
【発明が解決しようとする課題】
【００１５】
しかしながら、従来のレーザ加工装置の構成であると、放電励起するための銅などの金属からなる電極の表面には経年的に酸化膜が生成される。酸化膜の生成は放電による温度の上昇と雰囲気の酸素およびオゾン濃度の上昇によって促進される。放電により酸化膜は都度局部的に絶縁破壊されているが、放電していない期間が継続すると電極表面全体を酸化膜が覆い電気絶縁材として放電を妨げる。
【００１６】
この様な場合において、上記従来のガスレーザ発振装置の制御方法やガスレーザ装置、およびレーザ加工装置の、放電電流目標値設定器からの信号と、高電圧電源の出力電圧と、放電電流の関係について図３（ｂ）を参照しながら説明する。
【００１７】
放電電流目標値設定器から所望のレーザ出力に対応した放電電流目標値が信号として出力される。最初は放電していないため放電電流は流れておらず、放電電流検出器からの信号はゼロであり、差動増幅器からの信号は大となり加算器へ入力される。その結果、高電圧電源の出力電圧は上昇を加速する。その後高電圧電源の出力電圧が放電管内で放電を開始するに必要な電圧であるところの放電開始電圧Ｖａに至っても電極表面の酸化膜の電気絶縁により放電せず、高電圧電源の出力電圧は更に上昇する。
【００１８】
この様な場合には、一般的には高電圧電源の過電圧保護機能などにより出力電圧がある値以上になった場合にアラーム停止とするため、ガスレーザ発振装置およびレーザ加工装置の継続使用を阻害するという課題を有していた。
【００１９】
本発明は、安定して継続使用ができる信頼性の高いガスレーザ発振装置およびレーザ加工装置を提供することを目的とする。
【課題を解決するための手段】
【００２０】
本発明は、上記問題点を解決するために、レーザ媒質ガスを内部に有する放電管と、前記レーザ媒質ガスを放電励起するために電極を介して電圧を可変し印加する高電圧電源と、レーザ媒質ガスからのレーザ光を共振させてレーザ出力を得る光共振器と、前記放電管内のレーザ媒質への電圧印加によって発生した放電電流を検出する放電電流検出器と、放電電流の目標値を設定する放電電流目標値設定器と、前記放電電流検出器からの信号と、前記放電電流目標値設定器からの信号の差分を増幅する差動増幅器と、前記差動増幅器からの信号と、前記放電電流目標値設定器からの信号を加算する加算器とを備え、前記高電圧電源に前記加算器からの信号を入力し、放電電流を所望のレーザ出力に対応した値になるように、レーザ媒質に印加する電圧を可変しフィードバック制御するガスレーザ発振装置を用い、レーザ出力の開始時に、前記放電電流目標値設定器は、前記高電圧電源の回路定数およびレーザ媒質ガスに依存する無放電状態から放電するまでに要する放電開始電圧Ｖａへ上昇するに至るまでの予め設定された立ち上がり時間ｔａの間、放電電流の目標値を設定して前記高電圧電源より電圧を出力し、その後、前記高電圧電源の回路定数およびレーザ媒質ガスに依存する放電を維持するための放電維持電圧Ｖｂまで低下するに至るまでの予め設定された立下り時間ｔｂの間、放電電流の目標値をゼロと設定して前記高電圧電源の電圧の出力を停止し、その後、放電電流目標値設定器は放電電流の目標値を設定して前記高電圧電源からの電圧出力を再開して、放電電流を所望のレーザ出力に対応した値になるように放電電流をフィードバック制御するガスレーザ発振装置の制御方法である。
また、上記のガスレーザ発振装置の制御方法を使用したガスレーザ発振装置、またそのガスレーザ発振装置を設けたレーザ加工装置である。
【発明の効果】
【００２１】
以上の構成により、本発明は、放電励起するための電極の表面に経年的に酸化膜が生成されても安定した放電励起ができるため、ガスレーザ発振装置およびレーザ加工装置の継続使用ができ、信頼性の高い装置を得ることができる。
【図面の簡単な説明】
【００２２】
【図１】本発明の実施の形態におけるレーザ発振装置の制御方法による放電電流目標値設定器からの信号、高電圧電源の出力電圧、および放電電流の関係を示す波形図
【図２】従来のレーザ発振装置のブロック図
【図３】従来のレーザ発振装置の制御方法による放電電流目標値設定器からの信号、高電圧電源の出力電圧、および放電電流の関係を示す波形図
【図４】従来のレーザ加工装置の構成図
【発明を実施するための形態】
【００２３】
（実施の形態）
以下に本発明の実施の形態におけるレーザ発振装置の制御方法について図面によって説明する。図１は本発明の実施の形態におけるレーザ発振装置の放電電流のフィードバック制御を説明するための波形図である。
【００２４】
制御回路構成は前述の技術背景で述べた図２に示す制御回路構成と同じであるので、その構成詳細と基本的な動作の説明は省略し、本発明のポイントである放電電流のフィードバック制御による放電電流目標値設定器６からの信号、高電圧電源４の出力電圧、および放電電流の関係について図１（ａ）および図１（ｂ）を参照しながら説明する。
【００２５】
図１（ａ）では電極３の酸化膜が放電に影響を与えない状態の場合を示している。以下、図１（ａ）を参照しながら詳細に説明する。
【００２６】
レーザ出力の開始時に、放電電流目標値設定器６から所望のレーザ出力に対応した放電電流目標値が信号として立ち上がり時間ｔａの間だけ出力する。
【００２７】
放電電流のフィードバック制御経路であるところの高電圧電源４の回路常数および、放電管１内のレーザ媒質ガスの組成や圧力などによる放電回路定数および、レーザ媒質ガスの組成や圧力などによる放電管１内で放電を開始するに必要な電圧であるところの放電開始電圧Ｖａにより、立ち上がり時間ｔａは一定値として決定されるため、予め算出や測定により導き設定することが可能である。
【００２８】
その後、立下り時間ｔｂの間、放電電流目標値設定器６の信号をゼロと設定して高電圧電源４の電圧の出力を停止する。
【００２９】
高電圧電源４の回路定数およびレーザ媒質ガスの組成や圧力などによる放電回路定数および、レーザ媒質ガスの組成や圧力などによる放電を維持するための放電維持電圧Ｖｂにより、立下り時間ｔｂは一定値として決定されるため、予め算出や測定により導き設定することが可能である。
【００３０】
その後、放電電流目標値設定器６は放電電流の目標値を設定して高電圧電源４からの電圧出力を再開して、放電電流を所望のレーザ出力に対応した値になるように放電電流をフィードバック制御する。
【００３１】
この動作によれば、立下り時間ｔｂの間、放電電流目標値設定器６の信号をゼロと設定して高電圧電源４の電圧の出力を停止しても、放電管１内の放電は維持継続されているため、技術背景で説明した従来例の図３（ａ）と同じ放電電流のフィードバック制御が可能である。
【００３２】
図１（ｂ）では電極３表面全体を酸化膜が覆い電気絶縁材として放電を妨げる場合での放電電流目標値設定器６からの信号と、高電圧電源４の出力電圧と、放電電流の関係を示している。以下、図１（ｂ）を参照しながら詳細に説明する。
【００３３】
放電電流目標値設定器６の信号の出力方法は図１（ａ）を参照に説明した出力方法と同じである。しかしながら、電極３表面の酸化膜が放電を妨げているため立ち上がり時間ｔａを経過した後、高電圧電源４の出力電圧が放電開始電圧Ｖａに到達しても放電せず放電電流は流れない。
【００３４】
その後、立ち下がり時間ｔｂの間は強制的に高電圧電源４の出力を停止するため、従来の様に高電圧電源４の過電圧保護機能などよりアラーム停止するという状態には至らない。
【００３５】
その後、放電電流目標値設定器６は放電電流の目標値を設定して高電圧電源４からの電圧出力を再開するが、電極３には直前に高電圧が印加されているため酸化膜は脆くなっており、再度の高電圧印加によってついには酸化膜が一部破壊され放電が開始され放電電流のフィードバック制御は安定して実施されるためガスレーザ発振装置の継続使用ができ、信頼性の高い装置を得ることができる。
【００３６】
次にレーザ加工装置について説明する。
【００３７】
従来の技術で図４を用いて説明したが、ワーク１６を乗せる加工テーブル１９と、加工テーブル１９の移動とレーザ加工トーチ１７の少なくとも一方を移動するＸ軸モータ２０やＹ軸モータ２１などの駆動手段と、この駆動手段を制御する数値制御装置（図示せず）と、レーザービーム９を、集光レンズ１８を通過させてレーザを発生するレーザ加工装置に、上述した実施の形態におけるレーザ発振装置の制御方法およびその制御方法を用いたレーザ発信装置を構成とすることにより、レーザ加工装置の継続使用ができ、信頼性の高い装置を得ることができる。
【産業上の利用可能性】
【００３８】
本発明は、放電励起するための電極の表面に経年的に酸化膜が生成されても安定した放電励起ができるため、ガスレーザ発振装置およびレーザ加工装置の継続使用ができ、信頼性の高い装置を提供できる。
【符号の説明】
【００３９】
１    レーザ媒質ガスを内部に有する放電管
２    光共振器
３    電極
４    高電圧電源
５    放電電流検出器
６    放電電流目標値設定器
７    差動増幅器
８    加算器
９    レーザービーム
１５    反射鏡
１６    ワーク
１７    トーチ
１８    集光レンズ
１９    加工テーブル
２０    Ｘ軸モータ
２１    Ｙ軸モータ
【図１】
2011129727.tif 000003
【図２】
2011129727.tif 000004
【図３】
2011129727.tif 000005
【図４】
2011129727.tif 000006